(57)【要約】【課題】既存のレンズ装置に対して遠隔から近接撮影のための操作を行う。【解決手段】レンズ装置本体と、前記レンズ装置本体に回転可能に装着されたマクロリングと、前記マクロリングに設けられており、所定係合位置に位置することにより前記マクロリングの前記レンズ装置本体に対する回転を規制し、前記所定係合位置から所定係合解除位置に位置することにより前記マクロリングの前記レンズ装置本体に対する回転を許容するマクロレバーと、を備えたレンズ装置の前記マクロリングを遠隔操作するためのリングにおいて、前記マクロリングの外周に着脱自在に装着されるリング本体と、前記リング本体に設けられており、駆動ユニットの駆動ギアと噛合するギアと、前記リング本体に設けられており、前記マクロレバーを前記所定係合解除位置に位置させた状態で保持する保持部材と、を備えることを特徴とする。【選択図】  図５
2008249845.tif 000002
【特許請求の範囲】
【請求項１】
レンズ装置本体と、
前記レンズ装置本体に回転可能に装着されたマクロリングと、
前記マクロリングに設けられており、所定係合位置に位置することにより前記マクロリングの前記レンズ装置本体に対する回転を規制し、前記所定係合位置から所定係合解除位置に位置することにより前記マクロリングの前記レンズ装置本体に対する回転を許容するマクロレバーと、
を備えたレンズ装置の前記マクロリングを遠隔操作するためのリングにおいて、
前記マクロリングの外周に着脱自在に装着されるリング本体と、
前記リング本体に設けられており、駆動ユニットの駆動ギアと噛合するギアと、
前記リング本体に設けられており、前記マクロレバーを前記所定係合解除位置に位置させた状態で保持する保持部材と、
を備えることを特徴とするマクロリング遠隔操作用リング。
【請求項２】
前記リング本体はその端面から中心に向かって迫り出しており、前記マクロリングに当接することにより位置決めする位置決め部を備えていることを特徴とする請求項１に記載のマクロリング遠隔操作用リング。
【発明の詳細な説明】
【技術分野】
【０００１】
本発明は、レンズ装置のマクロリングに装着されるリングに係り、特に、既存のレンズ装置に対して遠隔から近接撮影のための操作を行うことができるマクロリング遠隔操作用リングに関する。
【背景技術】
【０００２】
従来、遠隔から近接撮影のための操作を行うためのシステムが提案されている（例えば特許文献１）。
【０００３】
撮影状況に応じて該テレビカメラ用撮影レンズにて、該近接撮影光学系による近接撮影を行う場合には、撮影者の手元に存在する遠隔操作部材上のノブを操作することにより、該ノブの操作量に対する信号が、配線を通じて該近接撮影駆動操作装置の制御基板に入力される。この入力信号に応じて該近接撮影操作装置に構成されている該モータが所定の減速比に設定されたギアを介して、前記テレビカメラ用撮影レンズに配された近接撮影光学系を有する鏡筒に直結された該近接撮影用部材に刻設されたギアを回動させることにより、該鏡筒が筐体に敷設された公知の多条ネジ、或はカム機構を介して連結されている動作により、該近接撮影用部材の回転運動を、該近接撮影光学系の直進運動に変換することで近接撮影を行うことが可能となっている。
【特許文献１】特開２００６−２３５４１８号公報
【発明の開示】
【発明が解決しようとする課題】
【０００４】
しかしながら、特許文献１においては、近接撮影用部材に刻設されたギアやこのギアを駆動させるための機構等の特殊な機構を撮影レンズ等に組み込まなければならず、既存のレンズ装置に対して遠隔から近接撮影のための操作を行うことが困難である。
【０００５】
本発明は、このような事情に鑑みてなされたもので、既存のレンズ装置に対して遠隔から近接撮影のための操作を行うことを目的とする。
【課題を解決するための手段】
【０００６】
本発明は、上記課題を解決するためになされたものであり、請求項１に記載の発明は、レンズ装置本体と、前記レンズ装置本体に回転可能に装着されたマクロリングと、前記マクロリングに設けられており、所定係合位置に位置することにより前記マクロリングの前記レンズ装置本体に対する回転を規制し、前記所定係合位置から所定係合解除位置に位置することにより前記マクロリングの前記レンズ装置本体に対する回転を許容するマクロレバーと、を備えたレンズ装置の前記マクロリングを遠隔操作するためのリングにおいて、前記マクロリングの外周に着脱自在に装着されるリング本体と、前記リング本体に設けられており、駆動ユニットの駆動ギアと噛合するギアと、前記リング本体に設けられており、前記マクロレバーを前記所定係合解除位置に位置させた状態で保持する保持部材と、を備えることを特徴とする。
【０００７】
請求項１に記載の発明によれば、レンズ装置本体のマクロリングにリング本体が着脱自在に装着されるとともに、このマクロリングに装着されたリング本体のギアに駆動ユニットの駆動ギアが噛合する。また、マクロリングの保持部材はマクロレバーを所定係合解除位置に位置させた状態で保持するので、マクロリング遠隔操作用リングが装着されたマクロリングはレンズ装置本体に対して回転可能となる。
【０００８】
これにより、従来のように特殊な機構を撮影レンズ等に組み込むことなく、既存のレンズ装置に対して遠隔から近接撮影のための操作を行うことが可能となる。
【０００９】
請求項２に記載の発明は、前記リング本体はその端面から中心に向かって迫り出しており、前記マクロリングに当接することにより位置決めする位置決め部を備えていることを特徴とする。
【００１０】
請求項２に記載の発明によれば、位置決め部を備えているので、マクロリング遠隔操作用リングをマクロリングに対して適正位置に装着することが可能となる。
【発明の効果】
【００１１】
本発明によれば、特殊構造をレンズ装置等に組み込むことなく、既存のレンズ装置に対して遠隔から近接撮影のための操作を行うことが可能となる。
【発明を実施するための最良の形態】
【００１２】
以下、本発明の第一実施形態であるマクロリング遠隔操作用リングについて図面を参照しながら説明する。
【００１３】
図１は、本発明の第一実施形態であるマクロリング遠隔操作用リングを装着したレンズ装置の側面図である。図２は、本発明の第一実施形態であるマクロリング遠隔操作用リングの斜視図である。
【００１４】
図１に示すように、レンズ装置１０はレンズ装置本体１１を備えている。このレンズ装置本体１１の外周にはマクロリング１２が回転可能に装着されている。このマクロリング１２を回転させると、レンズ装置本体１１内の所定レンズであるマスターレンズ群またはリレーレンズ群（図示せず）が通常撮影位置からマクロ撮影位置に移動する。一方、マクロリング１２を逆回転させると、該所定レンズがマクロ撮影位置から通常撮影位置に移動する。マクロリング１２にはマクロレバー１３が設けられている。このマクロレバー１３は、円錐台形状のレバー頭部１３ａ、このレバー頭部１３ａに連続したレバー軸部１３ｂ、及び、マクロリング１２に固定されたレバー本体１３ｃ等を備えている。
【００１５】
レバー本体１３ｃにはレバー軸部１３ｂがその軸方向にスライド移動可能に挿入されている。レバー本体１３ｃ内には圧縮バネ１４が配置されている。この圧縮バネ１４の作用により、レバー軸部１３ｂの先端が突出する方向に力が加えられる。したがって、レバー軸部１３ｂの先端がレンズ装置本体１１に形成された穴部１１ａに位置すると、図２に示すように、レバー軸部１３ｂの先端がその穴部１１ａに挿入される（本発明の所定係合位置に相当）。これにより、マクロリング１２のレンズ装置本体１１に対する回転が規制される。一方、レバー頭部１３ａを引っ張ってレバー軸部１３ｂの先端を穴部１１ａから引き出す（本発明の所定係合解除位置に相当）と、図３に示すように、マクロリング１２のレンズ装置本体１１に対する回転が可能となる。
【００１６】
なお、レンズ装置１０には、フォーカスレンズ、ズームレンズ、絞り等の光学部材が配置されており、これらのレンズ、絞りは、フォーカスリング、ズームリング、及び、アイリスリングの回転操作によって駆動される。
【００１７】
図４に示すように、マクロリング１２にはマクロリング遠隔操作用リング２０が着脱自在に装着される。図５に示すように、マクロリング遠隔操作用リング２０は、マクロリング１２を遠隔操作するためのリングであり、所定間隔をおいて配置される一端部２１及び他端部２２、その一端部２１と他端部２２とを連結するとともにレンズ装置本体１１のマクロリング１２が挿入されるリング本体２３、一端部２１と他端部２２とを連通するネジ穴に挿入される固定用ネジ２４を有している。固定用ネジ２４を締め付けると一端部２１と他端部２２とが接近しリング本体２３の径が減少してマクロリング１２に固定される。一方、固定用ネジ２４を緩めると一端部２１と他端部２２とが離れリング本体２３の径が増加してマクロリング１２に対する固定が解除される。
【００１８】
リング本体２３の外周面には、レンズ装置本体１１に着脱自在に装着される駆動ユニット３０の駆動ギア３１と噛合するギア２５が設けられている。また、リング本体２３の外周面には、マクロレバー１３を、そのレバー軸部１３ｂの先端を穴部１１ａから引き出した状態で保持するマクロレバー保持部材２６が設けられている。
【００１９】
マクロレバー保持部材２６は、両側壁２６ａ、２６ａ、後壁２６ｂ、及び、両側壁２６ａ、２６ａ及び後壁２６ｂで囲われた空間の天井部を構成する板状体２６ｃを備えている。この板状体２６ｃにはその端面から中央に向かって延びるスリット２６ｄが形成されている。マクロリング１２にマクロリング遠隔操作用リング２０を装着するに際して、図６（ａ）に示すように、まず、板状体２６ｃの端面がレバー頭部１３ａの側面（テーパー部１３ａ１）上方に当接する。マクロリング遠隔操作用リング２０を光軸方向にさらに押し込むと、図６（ｂ）に示すように、板状体２６ｃの端面は、レバー頭部１３ａの側面（テーパー部１３ａ１）上方からテーパー部１３ａ１に沿ってレバー頭部１３ａとレバー軸部１３ｂとの接続部に向かって相対的に移動する。これにより、レバー頭部１３ａ及びレバー軸部１３ｂは板状体２６ｃにより徐々に押し上げられ、レバー軸部１３ｂの先端は穴部１１ａから引き出される。このように、マクロレバー１３にテーパー部１３ａ１を設けたので、板状体２６ｃにより無理なく徐々にマクロレバー１３を引き出すことが可能となっている。なお、テーパー部１３ａ１を、マクロレバー１３側に設けない場合には、板状体２６ｃ側に設けてもよい。
【００２０】
マクロリング遠隔操作用リング２０を光軸方向にさらに押し込むと、やがて、リング本体２３の端面から中心に向かって迫り出した位置決め部２３ａがマクロリング１２に当接し、マクロリング遠隔操作用リング２０を光軸方向にそれ以上押し込めなくなる。このとき、図６（ｂ）に示すように、レバー頭部１３ａ又はレバー軸部１３ｂがスリット２６ｄ内に位置した状態となる。すなわち、マクロレバー保持部材２６（板状体２６ｃ）は、レバー頭部１３ａを、レバー軸部１３ｂの先端が穴部１１ａから引き出された状態で保持する。これにより、マクロリング１２のレンズ装置本体１１に対する回転が可能となる。
【００２１】
図４及び図７に示すように、駆動ユニット３０は、そのガイドピン３２をレンズ装置本体１１に形成された穴部（図示せず）に挿入して位置決めされ、その取り付けつまみ３３により回転させられるネジ部３４をレンズ装置本体１１に形成された雌ネジ穴（図示せず）に挿入して取り付けつまみ３３を締めつけることで、レンズ装置本体１１に着脱自在に装着される。
【００２２】
図４に示すように、駆動ユニット３０は、その内部に、モータ３５、このモータ３５の回転軸に取り付けられたギア３６等を備えている。このギア３６は、マクロリング遠隔操作用リング２０のギア２５に噛合するギア３１が固定された回転軸の他端に固定されたギア３７に噛合している。これにより、モータ３５が回転すると、そのモータ３５の回転がギア３６、ギア３７、ギア３１を介してマクロリング遠隔操作用リング２０に伝達され、マクロリング遠隔操作用リング２０及びこれが装着固定されたマクロリング１２が回転させられる。なお、駆動ユニット３０は、ケーブルＣを介して遠隔操作装置（図示せず）に接続されており、モータ３５はこの遠隔操作装置から遠隔操作することにより回転制御される。
【００２３】
次に、上記構成のマクロリング遠隔操作用リングの使用例について説明する。
【００２４】
まず、マクロリング１２にマクロリング遠隔操作用リング２０を装着する。すなわち、図１に示すレンズ装置本体１１の右側から、図５に示すマクロリング遠隔操作用リング２０を挿入し、マクロリング遠隔操作用リング２０を光軸方向に押し込む。
【００２５】
すると、図６（ａ）に示すように、まず、板状体２６ｃの端面がレバー頭部１３ａの側面上方（テーパー部１３ａ１）に当接する。マクロリング遠隔操作用リング２０を光軸方向にさらに押し込むと、図６（ｂ）に示すように、板状体２６ｃの端面は、レバー頭部１３ａの側面（テーパー部１３ａ１）上方からテーパー部１３ａ１に沿ってレバー頭部１３ａとレバー軸部１３ｂとの接続部に向かって相対的に移動する。これにより、レバー頭部１３ａ及びレバー軸部１３ｂは板状体２６ｃにより徐々に押し上げられ、レバー軸部１３ｂの先端は穴部１１ａから引き出される。このように、マクロレバー１３にテーパー部１３ａ１を設けたので、板状体２６ｃにより無理なく徐々にマクロレバー１３を引き出すことが可能となっている。
【００２６】
マクロリング遠隔操作用リング２０を光軸方向にさらに押し込むと、やがて、リング本体２３の端面から中心に向かって迫り出した位置決め部２３ａがマクロリング１２に当接し、マクロリング遠隔操作用リング２０を光軸方向にそれ以上押し込めなくなる。このとき、図６（ｂ）に示すように、レバー頭部１３ａ又はレバー軸部１３ｂがスリット２６ｄ内に位置した状態となる。すなわち、マクロレバー保持部材２６（板状体２６ｃ）は、レバー頭部１３ａを、レバー軸部１３ｂの先端が穴部１１ａから引き出された状態で保持する。これにより、マクロリング１２のレンズ装置本体１１に対する回転が可能となる。また位置決め部２３ａにより、マクロリング遠隔操作用リング２０をマクロリング１２に対して適正位置に装着することが可能となる。
【００２７】
次に、固定用ネジ２４を締め付ける。これにより、一端部２１と他端部２２とが接近しリング本体２３の径が減少し、マクロリング遠隔操作用リング２０は、マクロリング１２に装着固定される。
【００２８】
次に、駆動ユニット３０をレンズ装置本体１１に装着する。すなわち、駆動ユニット３０のガイドピン３２をレンズ装置本体１１に形成された穴部（図示せず）に挿入して位置決めし、取り付けつまみ３３を締めつける。これにより、駆動ユニット３０がレンズ装置本体１１に装着されるとともに、図４に示すように、駆動ユニット３０のギア３１がマクロリング遠隔操作用リング２０のギア２５に噛合う。これにより、マクロリング遠隔操作用リング２０及びこれが装着固定されたマクロリング１２を遠隔に配置された遠隔操作装置（図示せず）から回転制御することが可能となる。すなわち、遠隔から、マクロリング遠隔操作用リング２０及びこれが装着固定されたマクロリング１２を回転させることにより、レンズ装置本体１１内の所定レンズ（図示せず）を通常撮影位置からマクロ撮影位置（又はマクロ撮影位置から通常撮影位置）に移動させ、マクロ撮影を行うことが可能となる。また、遠隔から、マクロリング遠隔操作用リング２０及びこれが装着固定されたマクロリング１２を回転させ、レンズ装置本体１１内の所定レンズ（図示せず）を光軸に沿って進退させることにより、特殊撮影を行うことも可能となる。
【００２９】
以上説明したように、本実施形態のマクロリング遠隔操作用リング２０によれば、レンズ装置本体１１のマクロリング１２にリング本体２３が着脱自在に装着されるとともに、このマクロリング１２に装着されたギア２５に駆動ユニット３０の駆動ギア３１が噛合する。また、マクロリング１２の保持部材２６はマクロレバー１３を所定係合解除位置に位置させた状態で保持するので、マクロリング遠隔操作用リング２０が装着されたマクロリング１２はレンズ装置本体１１に対して回転可能となる。
【００３０】
これにより、従来のように特殊な機構を撮影レンズ等に組み込むことなく、既存のレンズ装置１０に対して遠隔から近接撮影のための操作を行うことが可能となる。
【００３１】
また、本実施形態のマクロリング遠隔操作用リング２０によれば、位置決め部２３ａを備えているので、マクロリング遠隔操作用リング２０をマクロリング１２に対して適正位置に装着することが可能となる。
【００３２】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００３３】
【図１】本発明の第一実施形態であるマクロリング遠隔操作用リングが装着されるレンズ装置の側面図である。
【図２】図１に示したレンズ装置のマクロリング及びマクロレバーを説明するための断面図である。
【図３】図１に示したレンズ装置のマクロリング及びマクロレバーを説明するための断面図である。
【図４】本発明の第一実施形態であるマクロリング遠隔操作用リングを装着したレンズ装置の側面図である。
【図５】本発明の第一実施形態であるマクロリング遠隔操作用リングの斜視図である。
【図６】マクロレバーとマクロリング遠隔操作用リングとの関係を説明するための図である。
【図７】駆動ユニットの正面図である。
【符号の説明】
【００３４】
１０…レンズ装置、１１…レンズ装置本体、１１ａ…穴部、１２…マクロリング、１３…マクロレバー、１３ａ…レバー頭部、１３ｂ…レバー軸部、１３ｃ…レバー本体、１４…圧縮バネ、２０…マクロリング遠隔操作用リング、２１…一端部、２２…他端部、２３…リング本体、２３ａ…位置決め部、２４…固定用ネジ、２５…ギア、２６…マクロレバー保持部材、２６ａ…側壁、２６ｂ…後壁、２６ｃ…板状体、２６ｄ…スリット、３０…駆動ユニット、３１…駆動ギア、３２…ガイドピン、３４…ネジ部、３５…モータ、３６…ギア、３７…ギア、Ｃ…ケーブル
【図１】
2008249845.tif 000003
【図２】
2008249845.tif 000004
【図３】
2008249845.tif 000005
【図４】
2008249845.tif 000006
【図５】
2008249845.tif 000007
【図６】
2008249845.tif 000008
【図７】
2008249845.tif 000009